(57)【要約】【課題】表示装置に接続し、原稿から読取った画像情報を表示装置に表示することのできる情報表示システムにおいて、スキャナ装置にジャムが発生しても、表示装置を支持する台座に収納したスキャナ装置からジャムしたシートを容易に除去できるようにする。【解決手段】表示装置を指示する台座に収納可能なスキャナ装置５０は、側部にスライド部材５４を有し、台座側に設けられたスライド部材と係合して、台座から引き出し自在に収納可能になっている。また、原稿自動送り装置が内蔵される上部ユニット５１は、装置側部に設けられた回動軸５３により台座から引き出した状態で上方に回動可能になっており、ジャムが発生した際は、台座からスキャナ装置５０を引き出して上部ユニット５１を上方に回動し、シート搬送路の一部を開放させることにより、ジャムしたシートＰを除去することができるようになっている。【選択図】図７
2009027268.tif 000002
【特許請求の範囲】
【請求項１】
表示部が台座に支持された表示装置と、
原稿自動送り装置が収納された上部ユニットと、画像読取装置が収納された下部ユニットを有し、前記台座の下部に収納されて前記表示装置に接続されたスキャナ装置と、
を備えた情報表示システムであって、
前記スキャナ装置は、前記台座および当該スキャナ装置にそれぞれ設けられたスライド部材により引き出し可能になっており、かつ、前記上部ユニットは、スキャナ装置を前記台座から引き出した状態で上方に回動可能になっており、該上部ユニットを上方に回動させることにより、前記原稿自動送り装置のシート搬送走路の一部が開放されることを特徴とする情報表示システム。
【請求項２】
前記スライド部は、レール部を挟み込む摺動部材を備えることを特徴とする請求項１に記載の情報表示システム。
【請求項３】
前記スキャナ装置の上部ユニットを上方に回動させることにより前記シート搬送路を開放させる方向として、前記表示装置の電源スイッチが配置された側であることを特徴とする請求項１又は２に記載の情報表示システム。
【請求項４】
前記スキャナ装置の上部ユニットを上方に回動させることにより前記シート搬送路を開放させる方向として、前記表示装置の操作入力部が配置された側であることを特徴とする請求項１又は２に記載の情報表示システム。
【請求項５】
前記スキャナ装置の上部ユニットを上方に回動させることにより前記シート搬送路を開放させる方向として、タッチペンホルダが配置された側であることを特徴とする請求項１又は２に記載の情報表示システム。
【請求項６】
前記表示装置は、タッチパネルを備えていることを特徴とする請求項１〜５のいずれかに記載の情報表示システム。
【請求項７】
請求項１〜６のいずれかに記載の情報表示システムにおけるスキャナ装置。
【発明の詳細な説明】
【技術分野】
【０００１】
本発明は、スタンドで支持される大型の表示装置の下方に設置するのに好適なスキャナ装置及び同スキャナ装置を備えた情報表示システムに関する。
【背景技術】
【０００２】
近年、電子会議システムとして、タッチペンなどの直接入力手段を用いて大型液晶画面上に議事内容を自由な書式で直接的に書き込み、これらの議事内容を全て電子化することにより、会議終了後の文書管理、参加者への配布、そして内容の加工などが簡単に実行する電子会議システムが提案されている。
また、会議を行なっている最中に追加のシートを電子化して表示装置に取り込むために、表示装置にネットワークを介してスキャナ装置を接続させるシステム形態についても提案されている。
【０００３】
しかしながら、プレゼンにおいては常にスキャナ装置が必要であるというわけではないため、逆に表示装置を用いて会議を行う際に、表示装置に接続されたスキャナ装置が邪魔になることもある。そこで、表示装置を支持する台座の下側にスキャナ装置を設置することが考えられる。そのためには、特許文献１にみられるように筐体外に突出している給紙トレイを装置筐体内に収納する構造にするなどしてコンパクト化を図る必要がある。
【特許文献１】特開平６−９０６４号公報
【発明の開示】
【発明が解決しようとする課題】
【０００４】
しかし、スキャナ装置をコンパクトにして表示装置の下側にスキャナを配置可能にしたとしても、スキャナ装置を用いてシートを読み取らせる際に、シートの搬送中にジャムが発生した場合、ジャムしたシートを除去するのが非常に困難になるという新たな問題が発生してしまう。
【０００５】
本発明は、上記の問題に鑑み、表示装置の下部に収納したスキャナ装置にジャムが発生した場合に、容易にジャムしたシートを除去することが可能な情報表示システムを提供することを目的としたものである。
【課題を解決するための手段】
【０００６】
上記の課題を達成するために、本発明の第１の技術手段は、表示部が台座に支持された表示装置と、原稿自動送り装置が収納された上部ユニットと、画像読取装置が収納された下部ユニットを有し、前記台座の下部に収納されて前記表示装置に接続されたスキャナ装置と、を備えた情報表示システムであって、前記スキャナ装置は、前記台座および当該スキャナ装置にそれぞれ設けられたスライド部材により引き出し可能になっており、かつ、前記上部ユニットは、スキャナ装置を前記台座から引き出した状態で上方に回動可能になっており、該上部ユニットを上方に回動させることにより、前記原稿自動送り装置のシート搬送走路の一部が開放されることを特徴とする。
【０００７】
第２の技術手段は、第１の技術手段において、前記スライド部は、レール部を挟み込む摺動部材を備えることを特徴とする。
【０００８】
第３の技術手段は、第１又は２の技術手段において、前記スキャナ装置の上部ユニットを上方に回動させることにより前記シート搬送路を開放させる方向として、前記表示装置の電源スイッチが配置された側であることを特徴とする。
【０００９】
第４の技術手段は、第１又は２の技術手段において、前記スキャナ装置の上部ユニットを上方に回動させることにより前記シート搬送路を開放させる方向として、前記表示装置の操作入力部が配置された側であることを特徴とする。
【００１０】
第５の技術手段は、第１又は２の技術手段において、前記スキャナ装置の上部ユニットを上方に回動させることにより前記シート搬送路を開放させる方向として、タッチペンホルダが配置された側であることを特徴とする。
【００１１】
第６の技術手段は、第１〜５のいずれかの技術手段において、前記表示装置は、タッチパネルを備えていることを特徴とする。
【００１２】
第７の技術手段は、第１〜６のいずれかの技術手段である情報表示システムにおけるスキャナ装置であることを特徴とする。
【発明の効果】
【００１３】
本発明によれば、スキャナ装置を大型の表示装置を支持する台座に収納して利用している際にジャムが発生しても、スキャナ装置をスライドさせて引き出し、上部ユニットを上方に回動してシート搬送路の一部を開放することにより、ジャムしたシートを容易に除去することができるようになる。
また、本発明によれば、ユーザが情報表示システムを用いてプレゼンテーションを行っている位置において、ジャムしたシートの除去作業が行えるので作業性が良くなる。
【発明を実施するための最良の形態】
【００１４】
以下、本発明の実施の形態について、図面を参照しながら説明する。
図１は、下側にスキャナ装置やプリンタなどの電子機器が設置可能な台座（スタンド）および、その台座に支持された表示装置の外観を示す図である。
表示装置１０を支持する台座２０は、一対の脚部２１、基台２２、転倒防止脚２４を兼ねたスライド可能な載置台２３を備えており、基台２２および転倒防止脚２４の底部にはキャスター（移動用車輪）２８が設けられている。
左右の脚部２１，２１の内側には後述するスキャナ装置５０を引き出し自在に収納可能にするレール２１ａ，２１ａが取り付けられている。
【００１５】
転倒防止脚２４を基台２２から引き出して転倒防止状態にするには、図２（Ａ）の状態から固定ピン２６を引き抜き、解除レバー２４ａに手を掛けて引っ張ることにより転倒防止脚２４を引き出し、載置台２３に設けられている固定穴２７ｂを固定金具２５の位置に合わせて固定ピン２６を挿入し、図２（Ｂ）の状態にする。
【００１６】
上記のような台座に電子機器を収納するようにすれば、常時使用するわけではないプリンタ３０やスキャナ装置５０を台座２０の下側に収納してくことができ、図３に示すように表示装置１０を操作しながらプレゼンを行うユーザにとって邪魔になることがない。
なお、図３に示す表示装置では、会議を進行させている進行役のユーザの操作性を考え、初期画面表示設定等に利用される操作入力部１３、タッチペンを入れておくタッチペンホルダ１４および電源スイッチ１５を右端に設けている。
【００１７】
図４は、本発明に係る情報表示システムの全体ブロック図を示す。情報表示システム１００における表示装置１０は、表示部１１と、表示部１１の前面に設けられたタッチパネル１２からなり、タッチ部分の座標を検出し、タッチ操作に基づいてさまざまな情報を表示することができる。表示装置１０には情報処理装置（ＰＣ）４０が接続され、表示装置１０に表示情報を出力する。プリンタ３０は、表示情報を印字出力する装置であり、本発明の情報表示システム装置における電子機器に相当する。スキャナ装置５０は、シートから読み取った情報を電子化するためのものである。
読み取ったデータを情報処理装置（ＰＣ）４０を介して表示装置１０に表示させても良いし、表示装置１０が画像処理機能を備えている場合には、スキャナ装置５０から表示装置１０に直接データを送っても良い。
【００１８】
図５は、本発明の実施形態に係る情報表示システムを側面から見た状態を示す。本実施形態では、表示装置１０の背面に情報処理装置４０が設置されており、（Ａ）はプリンタ３０が載置された転倒防止脚２４およびスキャナ装置５０がそれぞれ収納されている状態を示している。（Ｂ）は、載置台２３に載置されたプリンタおよびスキャナ装置５０が引き出された状態を示しており、スキャナ装置５０の両外側面には、後述するようにレール２１ａ上をスライドするスライド部材５４が取り付けられている。
プリンタ３０の場合も図６に示すように載置台２３と共にプリンタ３０を引き出すことにより、カバー３１を開けて現像剤カートリッジの交換などを行うことができる。
【００１９】
図７は、本発明の実施形態におけるスキャナ装置の正面図を示しており、（Ａ）のようにスキャナ装置５０は、自動原稿送り装置が内蔵されている上部ユニット５１が左側部に設けられた回動軸５３により上方に回動可能な構造になっている。
側部には前述したスライド部材５４が設けられており、また、前面部５５には原稿挿入口５５ａと原稿排出口５５ｂが形成されている。
【００２０】
シート搬送中にジャムが発生した場合、スキャナ装置５０を引き出し、上部ユニット５１を（Ｂ）に示すように上方に回動させてシート搬送路の一部を開放することにより、ジャムした原稿Ｐを容易に取り除くことができる。
【００２１】
上記実施形態によるスキャナ装置５０によれば、原稿をセットした後は台座に収納した状態で利用し、ジャムが発生した際にスキャナ装置５０を台座２０からスライドさせて引き出すことにより、ジャムした原稿を容易に取り除くことができる。
【００２２】
上部ユニット５１を回動可能にする方向（ジャムしたシートの搬送路を開放させる方向）としては、図３に示すような大型ディスプレイの場合、操作入力部１３、タッチペンホルダ１４、電源スイッチ１５等が配置されている側にすることにより、会議の進行役を務めているプレゼンテーターにとっての操作性、作業性が良くなる。
【００２３】
図８は、スキャナ装置の筐体内を模式的に示した図であり、スキャナ装置５０は、自動原稿送り装置を構成する上部ユニット５１と画像読取装置を構成する下部ユニット５２に大別される。
【００２４】
上部ユニット５１は、複数枚の原稿からなる原稿束を積載する給紙トレイ６１、シート原稿のサイズを検知する機能を備えた幅ガイドラック機構６２、給紙トレイ６１上のシート原稿を１枚ずつ取り出す給紙ローラ７１、取り出されたシート原稿を下流側まで搬送するための複数のフィードロール７２、シート原稿をプラテンガラス圧接する圧接ローラ７３、読取りが終了した原稿を排紙するための排紙ローラ７４および排紙トレイ７５を備えている。
幅ガイドラック機構６２は、図のように給紙トレイ６１の上方に設けられる。そして、幅ガイド部材６４を装置の外側から操作することができるように、装置上面部に設けた凹部６８に操作部材６９を設け、スロットガイド６３（図９）を貫通しては部ガイド部材６４と操作部材６９が連結されている。このような構成により、スキャナ装置のさらなるコンパクト化を可能にしている。
【００２５】
下部ユニット５２は、原稿の画像表面を露光する露光ランプと、原稿からの反射光像を所定の方向に向かって変更するミラーとを有する走査ユニット８１、走査ユニット８１のミラーから得られた光学像を光学的に縮小する結像用レンズ８２、結像用レンズ８２によって結像された光学像を順次光電変換し、電気信号として出力するＣＣＤ（Ｃｈａｒｇｅ  Ｃｏｕｐｌｅｄ  Ｄｅｖｉｃｅ）イメージセンサ８３、上部ユニット５１の原稿送り装置によって搬送されてきた原稿を読み取るための光の開口部を形成する第１プラテンガラス８４、画像を読み込むべき原稿を静止させた状態で載置するための第２プラテンガラス８５を備えている。ＣＣＤイメージセンサ８３によって得られた画像信号は図示しない信号処理回路に送られる。
【００２６】
図９は、給紙トレイ６１の上に積載された原稿のサイズを検知するための幅ガイドラック機構の構造を示す。同図は、給紙トレイ６１の方向（図８の矢印Ａ）から見た構造を模式的に表したもので、幅ガイドラック機構６２は給紙トレイ６１の上方に設けられている。左右のサイドガイド６４ａ，６４ｂは、スロットガイド６３ａ，６３ｂにより横方向に移動可能になっており、装置の外側から取り付けた操作部材６９（図８）によりスライド操作が可能となっている。各サイドガイド６４ａ，６４ｂには、それぞれピニオン６６に係合するラック６５ａ，６５ｂが取り付けられており、ラック６５ａ，６５ｂの先端部付近にはそれぞれセンサ６７ａ，６７ｂが配置されている。
これにより、幅ガイド部材６４を原稿のサイズ合わせて左右にスライドさせる際に、センサ６７ａ，６７ｂがラック６５ａ，６５ｂの位置を検出することで原稿のサイズを検出する。
【００２７】
給紙トレイ６１は、図１０に示すように、補助トレイ６１ａ，６１ｂを備えており、原稿が装置内に収まらないサイズの場合は前面扉５５′を開放し、補助トレイ６１ａ，６１ｂを引き出することにより、大きなサイズの原稿に対応できるようになっている。また、前面扉５５′は、開放した場合に排紙トレイにもなる。また、本実施例における前面扉５５′にも、図７に示したスキャナ装置の場合のように、原稿挿入口と原稿排出口を設けるようにしても良い。
【図面の簡単な説明】
【００２８】
【図１】本発明の情報表示システムに用いられる表示装置と台座の外観を示す図である。
【図２】図１に示した台座の転倒防止脚を説明するための図である。
【図３】情報表示システムの利用状況を示す図である。
【図４】情報表示システムの構成ブロック図である。
【図５】情報表示システムを側面からみた状態を示す図である。
【図６】情報表示システムにおける電子機器（プリンタ）の利用状態を説明する図である。
【図７】情報表示システムに用いられるスキャナ装置の説明図である。
【図８】スキャナ装置の内部を示す模式図である。
【図９】スキャナ装置の幅ガイドラック機構を示す図である。
【図１０】スキャナ装置の補助トレイを引き出した状態を示す図である。
【符号の説明】
【００２９】
１０…表示装置、１１…表示部、１２…タッチパネル、１３…操作入力部、１４…タッチペンホルダ、１５…電源スイッチ、２０…台座（スタンド）、２１…脚部、２１ａ…レール、２２…基台、２２ａ…レール、２３…載置台、２３ａ…スライドバー、２４…転倒防止脚、２５…固定金具、２６…固定ピン、２７ａ、２７ｂ…固定用穴、２８…キャスター、３０…電子機器（プリンタ）、４０…情報処理装置（ＰＣ）、５０…スキャナ装置、５１…上部ユニット（自動原稿送り装置）、５２…下部ユニット（画像読取装置）、５３…回転軸、５４…スライド部材、５５…前面板、５５ａ…原稿挿入口、５５ｂ…原稿排出口、５５′…前面扉、６１…給紙トレイ、６１ａ，６１ｂ…補助トレイ、６２…幅ガイドラック機構（原稿サイズ検知機構）、６３ａ，６３ｂ…ガイドスロット、６４ａ，６４ｂ，６４′…幅ガイド部材、６５ａ，６５ｂ…ラック、６６…ピニオン、６７ａ，６７ｂ…センサ、６８…凹部、６９…操作部、７１…給紙ローラ、７２…フィードロール、７３…圧接ローラ、７４…排紙ローラ、７５…排紙トレイ、８１…走査ユニット、８２…結像用レンズ、８３…ＣＣＤイメージセンサ、８４…第１プラテンガラス、８５…第２プラテンガラス、１００…情報表示システム。
【図１】
2009027268.tif 000003
【図２】
2009027268.tif 000004
【図３】
2009027268.tif 000005
【図４】
2009027268.tif 000006
【図５】
2009027268.tif 000007
【図６】
2009027268.tif 000008
【図７】
2009027268.tif 000009
【図８】
2009027268.tif 000010
【図９】
2009027268.tif 000011
【図１０】
2009027268.tif 000012